(57)【要約】【課題】ケーブルを繰り出したり巻き取ったりする際に、リールの回転を止める機構部にケーブルが干渉しにくいようにして円滑に操作できるケーブル貯蔵機器を提供する。【解決手段】出入口(108,109)を有する貯蔵ケース(1)と、貯蔵ケース(1)内部に取り付けられケーブル(4)の繰り出し方向に回転すると逆回転方向に付勢される回転駆動体(2)と、回転駆動体(2)を中心として一体となって回転できるよう着脱自在に装着され、ケーブル(4)を巻き取ることができるリール(3)と、回転駆動体(2)の回転をロックする機構部(R)とを備えており、ロック機構部(R)は回転駆動体(2)の外周部に設けられている爪車(23)と弾性を有する素材で形成された貯蔵ケース(1)に一体に設けられている爪(100)とで構成されている。【選択図】図１
2013075756.tif 000002
【特許請求の範囲】
【請求項１】
電気機器用のケーブルを繰り返し繰り出し及び巻き戻しする機器であって、
弾性変形する素材で形成されている基板(101)と当該基板(101)と連設されている側板(102)とで囲まれて形成されている収容部(12)と、当該収容部(12)につながる開口と、を有するケース本体(10)と、
当該ケース本体(10)の前記開口を塞ぐ蓋(11)と、
中央部分に凹み(35)を有し、前記ケース本体(10)の収容部(12)に収容されてケーブルを巻き取って貯蔵するリール(3)と、
前記側板(102)の相対向する二箇所に形成されており、前記リール(3)に貯蔵されたケーブルを通す第１の出入口(108)及び第２の出入口(109)と、
中央部分に前記リール(3)の凹み(35)に収容される凸筒状部(2)を備え、当該凸筒状部(2)の周りに設けられ複数の歯(230)を有し前記リール(3)と共に回転する爪車(23)と、
当該爪車(23)の歯(230)と噛み合い前記リール(3)の回転を制御する爪(100)と、
前記爪車(23)の凸筒状部(2)内に収納されており、前記リール(3)に巻き取られたケーブルを繰り出すとリール(3)の回転に伴って弾力を蓄積し、前記リール(3)にケーブルを巻き戻すときに前記蓄積された弾力を利用する渦巻きばね(28)と、
を備え、
前記爪(100)は、前記基板(1)と一体に成型されており、常態では前記爪(100)の係合部が前記爪車(23)と噛み合っており、前記爪(100)を前記基板(1)の外側から操作して弾性変形させて前記係合部と前記爪車(23)との噛み合いを解除できることを特徴とする、
ケーブル貯蔵機器。
【請求項２】
リール(3)は、両端にそれぞれフランジ(30,32)を有し、当該両フランジ(30,32)間の中間部分に区画フランジ(31)を備え、両端のフランジ(30,32)と区画フランジ(31)の間に、第１の区画(37)と第２の区画(38)を有しており、第１の区画(37)にはケーブルの長さ方向の何れか一方側が巻き取られ、第２の区画(38)には他方側が巻き取られるようにした、
請求項１記載のケーブル貯蔵機器。
【請求項３】
前記第１の出入口(108)と第２の出入口(109)は、前記ケース本体(10)の開口縁から基板(101)に向かって切り欠いて設けられており、第１の出入口(108)はリール(3)の第１の区画(37)と対応する深さに、第２の出入口(109)は第２の区画(38)と対応する深さを有し、前記蓋(11)のうち、第２の出入口(109)と対応する箇所には、閉蓋時に第２の出入口(109)の第１の区画(37)に対応する箇所を部分的に閉鎖する閉鎖突片(114)が形成されている、
請求項２記載のケーブル貯蔵機器。
【請求項４】
請求項１、２又は３記載のケーブル貯蔵機器にケーブルが貯蔵されている、
ケーブルセット。
【発明の詳細な説明】
【技術分野】
【０００１】
本発明は、ケーブル貯蔵機器及びそれを備えたケーブルセットに関するものである。更に詳しくは、電気機器用のケーブルを繰り返し繰り出し及び巻き戻しする機器であって、ケーブルを繰り出したり巻き取ったりする際に、リールの回転を止める機構部にケーブルが干渉しにくいようにして円滑に操作できるようにすると共に、部品点数を少なくしてより簡易な構造とすることで、故障や不具合が起こりにくいようにしたものに関する。
【背景技術】
【０００２】
近年においては、携帯電話や音楽プレーヤー等の携帯機器の普及に伴い、外出先でイヤフォンケーブルを使用する機会も多くなっている。イヤフォンケーブルは、比較的長尺で、そのままでは取り扱いがしにくいため、イヤフォンケーブルを巻き取って貯蔵し、使用時には繰り出して長さを調整できる器具が使用されている。
【０００３】
このような器具としては、例えば特許文献１に開示された「携帯電話用イヤフォンコード巻取装置」がある。
この携帯電話用イヤフォンコード巻取装置は、薄い箱形の収納ケース<2>内に、イヤフォンコード<3>を巻き取るリール<22>を回転自在に支承すると共に、引き出されたイヤフォンコード<3>を巻き戻すよう付勢する渦巻ばね<23>と、リール<22>の回転を阻止するロックレバー<11>と、ロックレバー<11>を解除方向に動かせる操作片<10>とを備えており、携帯電話に用いるイヤフォンコードの引き出し及び収納を容易に行うことができるというものである。
【先行技術文献】
【特許文献】
【０００４】
【特許文献１】特開平８−２３７３４９号公報
【発明の概要】
【発明が解決しようとする課題】
【０００５】
しかしながら、前記従来の携帯電話用イヤフォンコード巻取装置には、次のような課題があった。
すなわち、巻取装置は、<図２、図３>に示されているように、リール<22>の外周部にロックレバー<11>を押し付けることで、イヤフォンコードを繰り出したときのリール<22>のロックを行う構造となっている。このため、イヤフォンコードが巻き取られる部分とロックレバー<11>の位置が近接しており、イヤフォンコードを繰り出したり巻き取ったりする際にイヤフォンコードが振れたり緩んだりすると、ロックレバー<11>に干渉しやすく、イヤフォンコードが絡まって操作ができなくなるおそれがあった。
【０００６】
また、ロックレバー<11>と操作片<10>は、操作の頻度が高い部品であるが、取り付け構造は、収納ケース<2>にピン<14>で回動自在に取り付け、ロックレバー<11>をリール<22>の外周部に押し付ける方向へばね<13>で付勢されている構造である。この構造では、部品点数が多い分だけ可動部が不安定になりやすく、故障や不具合が起こりやすい。また、製造時の組み立てにも比較的手間を要する。
【０００７】
（本発明の目的）
本発明は、電気機器用のケーブルを繰り返し繰り出し及び巻き戻しする機器であって、ケーブルを繰り出したり巻き取ったりする際に、リールの回転を止める機構部にケーブルが干渉しにくいようにして円滑に操作できるケーブル貯蔵機器及びケーブルセットを提供することを目的とする。
【０００８】
また、本発明の他の目的は、前記目的に加えて、リールの回転を止める機構部の部品点数を少なくしてより簡易な構造とすることで、機械的な故障や不具合が起こりにくいようにすると共に、製造時において組み立てに要する手間を軽減することである。
【課題を解決するための手段】
【０００９】
上記課題を解決するために本発明が講じた手段は次のとおりである。
【００１０】
（１）本発明は、
電気機器用のケーブルを繰り返し繰り出し及び巻き戻しする機器であって、
弾性変形する素材で形成されている基板と当該基板と連設されている側板とで囲まれて形成されている収容部と、当該収容部につながる開口と、を有するケース本体と、
当該ケース本体の前記開口を塞ぐ蓋と、
中央部分に凹みを有し、前記ケース本体の収容部に収容されてケーブルを巻き取って貯蔵するリールと、
前記側板の相対向する二箇所に形成されており、前記リールに貯蔵されたケーブルを通す第１の出入口及び第２の出入口と、
中央部分に前記リールの凹みに収容される凸筒状部を備え、当該凸筒状部の周りに設けられ複数の歯を有し前記リールと共に回転する爪車と、
当該爪車の歯と噛み合い前記リールの回転を制御する爪と、
前記爪車の凸筒状部内に収納されており、前記リールに巻き取られたケーブルを繰り出すとリールの回転に伴って弾力を蓄積し、前記リールにケーブルを巻き戻すときに前記蓄積された弾力を利用する渦巻きばねと、
を備え、
前記爪は、前記基板と一体に成型されており、常態では前記爪の係合部が前記爪車と噛み合っており、前記爪を前記基板の外側から操作して弾性変形させて前記係合部と前記爪車との噛み合いを解除できることを特徴とする、
ケーブル貯蔵機器である。
【００１１】
（２）本発明は、
リールは、両端にそれぞれフランジを有し、当該両フランジ間の中間部分に区画フランジを備え、両端のフランジと区画フランジの間に、第１の区画と第２の区画を有しており、第１の区画にはケーブルの長さ方向の何れか一方側が巻き取られ、第２の区画には他方側が巻き取られるようにした、
前記（１）のケーブル貯蔵機器である。
【００１２】
（３）本発明は、
前記第１の出入口と第２の出入口は、前記ケース本体の開口縁から基板に向かって切り欠いて設けられており、第１の出入口はリールの第１の区画と対応する深さに、第２の出入口は第２の区画と対応する深さを有し、前記蓋のうち、第２の出入口と対応する箇所には、閉蓋時に第２の出入口の第１の区画に対応する箇所を部分的に閉鎖する閉鎖突片が形成されている、
前記（２）のケーブル貯蔵機器である。
【００１３】
（４）本発明は、
前記（１）、（２）又は（３）のケーブル貯蔵機器にケーブルが貯蔵されている、
ケーブルセットである。
【００１４】
特許請求の範囲及び明細書にいう「ケーブル」の用語は、例えばイヤフォンケーブルの他、各種電気機器のＵＳＢケーブル、電話ケーブル、ＬＡＮケーブル等、他のケーブルを含む意味で使用している。なお、後記実施の形態では、イヤフォンケーブルを例にとり説明している。
【００１５】
（作用）
本発明に係るケーブル貯蔵機器及びケーブルセットの作用を説明する。
ケーブル貯蔵機器は、各種電気機器用のケーブルを巻き取って、ケース本体と蓋からなる貯蔵ケース内に貯蔵することができると共に、使用時には貯蔵ケースからケーブルを必要なだけ繰り出して長さを調整することができる。
【００１６】
まず、ケーブル貯蔵機器のリールにケーブルを巻き取って貯蔵ケース内に収容した状態としておく。常態においては、ケーブルはリールに巻き取られた状態で、ケーブル両端の一部が貯蔵ケースの二箇所に設けられた第１、第２の出入口からそれぞれ外側へ出されており、凸筒状部には、渦巻きばねによるケーブルを巻き取る回転方向の弾力（付勢力）は作用していない。
【００１７】
この状態から、ケーブル両端を引っ張り、ケーブルを繰り出すと、リールは、渦巻きばねによる弾力に抗して回転する凸筒状部と一体となって回転する。そして、ケーブルの引っ張り操作をやめると、リールと凸筒状部は渦巻きばねによる弾力でケーブルを巻き取る方向へ僅かに回転することにより凸筒状部の爪車の歯に爪が係合し、リールと凸筒状部の回転を止めるロック状態となる。このようにして、ケーブルの長さを必要な長さに調整することができる。
【００１８】
ケーブルの使用をやめて貯蔵ケース内に貯蔵するときは、爪を貯蔵ケースの外側から動かして爪車の歯との係合状態を解除すれば、ロック状態も解除され、リールは、渦巻きばねの弾力によって回転する凸筒状部と一体となって回転し、ケーブルをもとの貯蔵状態まで巻き取ることができる。
【００１９】
また、凸筒状部を中心として凸筒状部と一体となって回転するリールは、凸筒状部がリールの中央部に設けられている凹みに収容されている構造上、外周部に爪車を有する凸筒状部より、ケーブルが出入りする口縁部となる外周部の外径が大きくなるように形成されている。つまり、リールと凸筒状部の回転を止める機構部を構成する爪車と爪の位置がリールの外周部とはリールの半径線方向へ一定距離だけ離れている。
【００２０】
これにより、前記のようにケーブルを繰り出したり巻き取ったりする際に、ケーブルが振れたり緩んだりしても、リールの回転を止める機構部にケーブルが干渉しないようになっており、ケーブルが前記機構部に絡まって操作ができなくなることを防止できる。
【００２１】
また、常態においては爪が爪車の歯と係合し、爪車に対する係合を解除する方向へ弾性変形することができるように、爪が、弾性変形する素材で形成されている貯蔵ケースの基板に設けられている。
この構造により、リールの回転を止める機構部の部品点数を少なくして、より簡易な構造とすることができるので、機械的な故障や不具合が起こりにくいようにすることができる。また、製造時において組み立てに要する手間を軽減することができる。
【発明の効果】
【００２２】
（ａ）本発明は、電気機器用のケーブルを繰り返し繰り出し及び巻き戻しする機器であって、凸筒状部を中心として凸筒状部と一体となって回転するリールは、凸筒状部がリールの中央部に設けられている凹みに収容されている構造上、外周部に爪車を有する凸筒状部より、ケーブルが出入りする口縁部となる外周部の外径が大きくなるように形成されている。つまり、リールと凸筒状部の回転を止める機構部を構成する爪車と爪の位置がリールの外周部とはリールの半径線方向へ一定距離だけ離れている。
これにより、前記のようにケーブルを繰り出したり巻き取ったりする際に、ケーブルが振れたり緩んだりしても、リールの回転を止める機構部にケーブルが干渉しないようになっており、ケーブルが前記機構部に絡まって操作ができなくなることを防止できる。
【００２３】
（ｂ）常態においては爪が爪車の歯と係合し、爪車に対する係合を解除する方向へ弾性変形することができるように、爪が、弾性変形する素材で形成されている貯蔵ケースの基板に設けられている。
この構造により、リールの回転を止める機構部の部品点数を少なくして、より簡易な構造とすることができるので、機械的な故障や不具合が起こりにくいようにすることができる。また、製造時において組み立てに要する手間を軽減することができる。
【図面の簡単な説明】
【００２４】
【図１】本発明に係るケーブル貯蔵機器の構造を示し、リールに巻き掛けられたイヤフォンケーブルの一部を省略した分解斜視説明図。
【図２】ケーブル貯蔵機器の外観を示し、リールに巻き掛けられたイヤフォンケーブルの一部を省略した斜視図。
【図３】ケーブル貯蔵機器の外観を示し、リールに巻き掛けられたイヤフォンケーブルの一部を省略しており、（ａ）は底面側から視た説明図、（ｂ）は側面側から視た説明図。
【図４】イヤフォンケーブルを一部巻き取っている状態を示す図３（ａ）におけるＣ−Ｃ線断面説明図。
【発明を実施するための形態】
【００２５】
〔実施の形態〕
【００２６】
本発明を図面に示した実施の形態に基づき詳細に説明する。
図１乃至図４を参照する。
【００２７】
符号Ｅはイヤフォンケーブルセットで、ケーブル貯蔵機器Ａとイヤフォンケーブル４を備えてなるものである。
ケーブル貯蔵機器Ａは、イヤフォンケーブル４を巻き取って貯蔵ケース１内にコンパクトに貯蔵（収容）し、使用時にはイヤフォンケーブル４を繰り出して適当な長さに調整でき、その操作を繰り返し行うことができるものである。
【００２８】
ケーブル貯蔵機器Ａは、貯蔵ケース１、凸筒状部である回転駆動体２、リール３を備えている。回転駆動体２には、ロック機構部Ｒを構成する爪車２３を備え、貯蔵ケース１には同じくロック機構部Ｒを構成する爪１００を備えている。ロック機構部Ｒは、いわゆるラチェット機構を構成する。
【００２９】
貯蔵ケース１は例えば合成樹脂製で、ケース本体１０と蓋１１を備えている。ケース本体１０は、円形の基板１０１の周縁部に側板１０２を形成した、図１に示すように厚さがやや薄いほぼ有底円筒形状（一方側が閉鎖している形状）の成形体である。この構造によりケース本体１０の内部は基板１０１と反対側が開口した収容部１２となっている。
ケース本体１０の基板１０１の中心部には、基板１０１とは直角方向に後記回転駆動体２を回転自在に装着する所要長さの軸棒体１０３が一体に形成されている。軸棒体１０３には、直径線方向かつ軸線方向に全長にわたり割り溝１０４が設けられている。
【００３０】
軸棒体１０３の先端において割り溝１０４を挟む位置にある部分（符号は省略）の二箇所には、放射方向へ突出した係合部１０５が形成されている。前記構造により、軸棒体１０３は、前記割り溝１０４を挟んだ部分が内側へ弾性変形し、各係合部１０５の間隔を狭めることにより回転駆動体２の装着孔２５に通すことができ、さらにその後、各係合部１０５の間隔が拡がることで、装着孔２５が軸棒体１０３から抜けないようにすることができる。また、割り溝１０４は、後記渦巻きばね２８の中心側の一端を掛ける部分となる。
【００３１】
ケース本体１０の側板１０２の一箇所には、後記蓋１１をヒンジ構造により開閉方向へ回動自在に取り付ける蓋取付部１０６が形成されている。また、側板１０２の蓋取付部１０６と相対向する箇所には、係合穴１０７が形成されている。さらに、側板１０２の蓋取付部１０６と係合穴１０７間のそれぞれの中間部には、側板１０２の端面から基板１０１方向へ切り欠いて第１の出入口１０８及び第２の出入口１０９が相対向して形成されている。
【００３２】
なお、一方側の第１の出入口１０８はやや浅く、ケース本体１０に収容した状態の後記リール３の第１の巻取部３７に対応する位置に形成され、他方側の第２の出入口１０９は第１の出入口１０８より深く、リール３の第２の巻取部３８に対応する位置まで形成されている。これは、蓋１１を閉じたときに、第１の出入口１０８及び第２の出入口１０９の開口部（符号省略）の位置が、後記リール３の厚さ方向の二箇所にある第１の巻取部３７、第２の巻取部３８の位置に合うようにするためである。
【００３３】
また、ケース本体１０の基板１０１には、後記する回転駆動体２の爪車２３と共にロック機構部Ｒを構成する爪１００が形成されている。爪１００は、基板１０１の半径線方向のほぼ中間部にケース本体１０と一体成形により、前記軸棒体１０３を中心とした部分円弧状に形成されている。爪１００は、基板１０１の半径線方向に弾性変形ができるように、表裏面へ貫通した空隙１０１ａを設けて形成されている。
【００３４】
爪１００は、先端部に尖った係合部である爪部１００ａ（図３（ａ）、図４に図示）を有し、爪部１００ａと後記回転駆動体２の爪車２３を噛み合わせるため、爪部１００ａ側がケース本体１０内部側へやや入り込むように形成されている。また、爪１００の先端部外面側（図３（ａ）で手前側）には、基板１０１の外面からやや突出するように操作部１００ｂが形成されている。
【００３５】
ケース本体１０の蓋取付部１０６には、ケース本体１０と同じ外径の円形の蓋板１１１を有する蓋１１が、取付部１１２を係合させて回動自在に取り付けられている。なお、蓋取付部１０６と取付部１１２の取付構造は、穴に突部を回転自在に嵌め入れる一般的な構造であるので、構造の詳細な説明は省略する。
【００３６】
蓋板１１１の取付部１１２とは相対向する側には、蓋１１が閉じたときに前記係合穴１０７と係合する係合爪１１３が形成されている。また、蓋板１１１の取付部１１２と係合爪１１３間において第２の出入口１０９に対応する箇所には、閉鎖突片１１４が形成されている。閉鎖突片１１４は、蓋１１を閉じたときに、前記第２の出入口１０９において貯蔵ケース１に収まっている状態の後記リール３の第１の巻取部３７に対応する側を部分的に閉鎖することで、第２の出入口１０９において後記第２の巻取部３８に対応する部分に開口部（符号省略）を形成することができる。
【００３７】
前記ケース本体１０の軸棒体１０３には、回転駆動体２が着脱自在に取り付けられている。回転駆動体２は合成樹脂製で、円形の上板２１の周縁部に側板２２を形成し、さらに側板２２の端部には、歯２３０が放射方向へ突出するように前記爪１００と共にロック機構部Ｒを構成する爪車２３が形成されている。なお、側板２２の爪車２３側は円形に開口しており、内部は渦巻きばね２８を収める空間２４（図４参照）となっている。
【００３８】
回転駆動体２の上板２１の中心部には、前記軸棒体１０３に嵌め込まれる装着孔２５が貫通して形成されている。側板２２の外周面には、周方向へ等間隔で四箇所に係合突条２６が形成されている。係合突条２６は、後記リール３の嵌合凹部３５に形成されている係合溝３６と係合するものである。
【００３９】
また、回転駆動体２の側板１０２の内面の一箇所には、付勢手段である渦巻きばね２８の外周側の一端を掛けるバネ掛け片２７が形成されている。そして、回転駆動体２は、空間２４に渦巻きばね２８をセットした状態で、装着孔２５を軸棒体１０３に回転自在に装着されている。
【００４０】
前記渦巻きばね２８のセットは次のように行う。まず、巻回して径小にした渦巻きばね２８の中心部の一端の掛け部２８１を軸棒体１０３の割り溝１０４に掛け、次に渦巻きばね２８の外周側の一端の掛け部２８２を回転駆動体２のバネ掛け片２７に掛け、渦巻きばね２８を空間２４に収めるようにして軸棒体１０３に回転駆動体２を回転自在に装着する（図４参照）。
【００４１】
なお、渦巻きばね２８は、後記するようにイヤフォンケーブル４を繰り出し、繰り出し回転方向に後記リール３が回転したとき、イヤフォンケーブル４を巻き取る巻き取り回転方向に蓄積された弾力が作用するようにセットされる。この回転駆動体２の装着状態においては、爪車２３の歯２３０と前記爪１００の爪部１００ａとが噛み合うようになっている。
【００４２】
回転駆動体２には、合成樹脂製のリール３が着脱自在に取り付けられている。リール３は、同じ外径を有する三枚のフランジ３０、３１、３２を同心に所要間隔で平行に配し、これらの中心を軸部材３３でつないだ構造を有している。軸部材３３は、ほぼ円筒形状に形成されており（図４参照）、軸部材３３の内部には区画板３４が形成されている。区画板３４の中心には、軸棒体１０３の頂部が収まる通し孔３４０が形成されている。
【００４３】
軸部材３３の内部において、区画板３４で隔てられた大きい側には、前記回転駆動体２の上板２１と側板２２が嵌入される凹みである嵌合凹部３５が形成されている。嵌合凹部３５の内周部には、前記各係合突条２６と嵌合する係合溝３６が四箇所に形成されている。各係合突条２６と各係合溝３６が係合することにより、リール３と回転駆動体２は、一体となって回転する。
【００４４】
また、各フランジ３０、３１、３２の間の二箇所の空間は、イヤフォンケーブル４を巻き取る第１の区画である第１の巻取部３７及び第２の区画である第２の巻取部３８となっている。区画フランジである中間のフランジ３１には、相対向する位置にケーブル掛け溝３９が形成されている。各ケーブル掛け溝３９は、フランジ３１の半径線方向から前記軸部材３３の外周面に沿うように曲がって形成されており、イヤフォンケーブル４のケーブル４０の中間部分を外れないように掛けることができるようにしてある。
【００４５】
このように、各部品をケース本体１０に取り付けて蓋１１を閉じると、図４に示すように、リール３は貯蔵ケース１内にちょうど収まり、内部で貯蔵ケース１の内面に対し摺動しながら、どちらの回転方向へも自在に回転することができる。
【００４６】
なお、本実施の形態では、第１の出入口１０８及び第２の出入口１０９を貯蔵ケース１の側板１０２に相対向して二箇所に設けた構造としたが、例えば前記した特許文献１の図１に示されているように、出入口を一箇所だけに設けて、この出入口からイヤフォンケーブル４のケーブル４０両端のプラグ４１とイヤフォン４２を外側へ出すようにした構造としてもよい。
【００４７】
（作用）
図１乃至図４を参照してケーブル貯蔵機器Ａを備えたイヤフォンケーブルセットＥの作用を説明する。
まず、ケーブル貯蔵機器Ａのリール３に、使用者が使用したいイヤフォンケーブル、例えば市販されている汎用のインナーイヤー型のイヤフォンケーブル４を巻き取って、貯蔵ケース１内に収容した状態とする。イヤフォンケーブル４は、他のイヤフォンケーブルとの交換又は故障したときの交換も任意に行うことができる。
【００４８】
なお、前記イヤフォンケーブル４の巻き取りにおいては、まず、ケーブル４０の中間部をリール３のフランジ３１に形成してあるケーブル掛け溝３９の奥側に掛け、ケーブル４０のプラグ４１側とイヤフォン４２側をそれぞれ第１の巻取部３７及び第２の巻取部３８に同じ方向に巻き付けるようにする。
【００４９】
常態においては、イヤフォンケーブル４は前記のようにしてリール３に巻き取られた状態で、イヤフォンケーブル４のケーブル４０両端のプラグ４１とイヤフォン４２が貯蔵ケース１の各出入口１０８、１０９からそれぞれ外側へ出してある（図２参照）。このとき、回転駆動体２に対しては、渦巻きばね２８によるイヤフォンケーブル４を巻き取る回転方向の弾力は作用していない。
【００５０】
この状態から、イヤフォンケーブル４のケーブル４０両端のプラグ４１側とイヤフォン４２側を引っ張り、ケーブル４０を繰り出すと、リール３は、渦巻きばね２８による蓄積された弾力に抗して回転する回転駆動体２と一体となって回転する。この際のリール３の回転方向は、図１に示したリール３のフランジ３０上面二箇所に表示されている矢印方向である。
【００５１】
そして、イヤフォンケーブル４の引っ張り操作をやめると、リール３と回転駆動体２は渦巻きばね２８による弾力でイヤフォンケーブル４を巻き取る方向（前記矢印方向とは逆方向）へ僅かに回転することにより回転駆動体２の爪車２３の歯２３０に爪１００の爪部１００ａが係合し、リール３と回転駆動体２の回転を止めるロック状態となる。このようにして、イヤフォンケーブル４の長さを必要な長さに調整することができる。
【００５２】
また、イヤフォンケーブル４の使用をやめて貯蔵ケース１内に収容するときは、貯蔵ケース１の基板１０１外面から突出している爪１００の操作部１００ｂを基板１０１外面に表示してある矢印の方向（図３（ａ）参照）へ弾性変形させて動かすと、爪１００の爪部１００ａと爪車２３の歯２３０との係合状態が解除され、ロック状態も解除される。これにより、リール３は、渦巻きばね２８の弾力によって回転する回転駆動体２と一体となって回転し、イヤフォンケーブル４をもとの収容状態まで巻き取ることができる。
【００５３】
また、回転駆動体２に装着され、回転駆動体２を中心として一体となって回転するリール３は、外周部に爪車２３を有する回転駆動体２より外径が大きくなっている。つまり、ロック機構部Ｒを構成する爪車２３と爪１００が、イヤフォンケーブル４のケーブル４０が繰り出されたり巻き取られたりするリール３の外周部とはリール３の半径線方向へ一定距離だけ離れている（図４参照）。
【００５４】
これにより、前記したようにイヤフォンケーブル４を繰り出したり巻き取ったりする際に、イヤフォンケーブル４が振れたり緩んだりしても、リール３の回転を止めるロック機構部Ｒにイヤフォンケーブル４が干渉しないようになっており、イヤフォンケーブル４がロック機構部Ｒに絡まって操作ができなくなることを防止できる。
【００５５】
また、本実施の形態では、常態においては爪車２３の歯２３０と係合し、爪車２３に対するロックを解除する方向へ弾性変形することができる爪１００が、貯蔵ケース１のケース本体１０に一体成形により設けられている。このように、リール３の回転を止めるロック機構部Ｒの部品点数を少なくして、より簡易な構造とすることで、故障や不具合が起こりにくいようにすることができ、信頼性も向上する。また、製造時において組み立てに要する手間も軽減することができる。
【００５６】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００５７】
Ｅ  イヤフォンケーブルセット
Ａ  ケーブル貯蔵機器
１  貯蔵ケース
１０  ケース本体
１００  爪
１００ａ  爪部
１００ｂ  操作部
１０１  基板
１０１ａ  空隙
１０２  側板
１０３  軸棒体
１０４  割り溝
１０５  係合部
１０６  蓋取付部
１０７  係合穴
１０８  第１の出入口
１０９  第２の出入口
１１  蓋
１１１  蓋板
１１２  取付部
１１３  係合爪
１１４  閉鎖突片
１２  収容部
２  回転駆動体
２１  上板
２２  側板
２３  爪車
２３０  歯
２４  空間
２５  装着孔
２６  係合突条
２７  バネ掛け片
２８  渦巻きばね
２８１  掛け部
２８２  掛け部
３  リール
３０、３１、３２  フランジ
３３  軸部材
３４  区画板
３４０  通し孔
３５  嵌合凹部
３６  係合溝
３７  第１の巻取部
３８  第２の巻取部
３９  ケーブル掛け溝
Ｒ  ロック機構部
４  イヤフォンケーブル
４０  ケーブル
４１  プラグ
４２  イヤフォン
【図１】
2013075756.tif 000003
【図２】
2013075756.tif 000004
【図３】
2013075756.tif 000005
【図４】
2013075756.tif 000006